(57)【特許請求の範囲】
【請求項１】
折り畳み式収納箱であって、上方が開口した四角形箱部と、底板と、蓋部からなり、
前記箱部は同一幅で平行に対向する第１、第２の側壁と、それら側壁辺部間を繋ぎ、その幅中心線にて折り曲げ可能で、折り曲げない状態の幅が第１、第２の側壁の幅より狭い第３、第４の側壁を有し、各側壁高さは折り畳んだ状態で前記蓋部内に納まる寸法とされ、箱部底面は軟性布材で覆われて物品収納時には箱部開口に等しい形状の前記底板が載置され、
前記蓋部は箱状にした箱部上端部が丁度納まる大きさに下面側が開口した箱型で、その上面側には前記箱部の開口の大きさに相当する部分に厚みのあるクッション材が取り付けてあり、蓋部を箱部開口部に被せた状態では前記クッション材を座面とする椅子として使用でき、蓋部を裏返した状態では前記クッション材を箱部の開口に嵌め込んだ状態にして裏面を商品陳列台、作業台として使用できるように構成されており、
収納箱の不使用時には前記箱部は第３、第４の側壁をその幅中心線にて内側に折り畳んで第１、第２の側壁間に挟み込んだ状態として蓋部の開口内に収納できるようにしてあることを特徴とする折り畳み式収納箱。
【発明の詳細な説明】
【技術分野】
【０００１】
本考案は物品を収納する収納箱としての用途に加えて蓋部上面を座面とする椅子として、また、蓋部を裏返して物品展示台、作業台としても使用でき、不使用時には保管に便利なコンパクトな形に折り畳める折り畳み式収納箱に関する。
【背景技術】
【０００２】
折り畳み式収納箱として折り畳み式箱部と、箱部の布製底面上に載置する底板と、箱部の上面開口を覆う蓋部とからなる収納箱が知られている（例えば、特許文献１、２、３）。この収納箱は物品を収納する箱として使用できることに加え、箱部の開口を覆う蓋部の上面を座面とする椅子としても使用できる。そして、不使用時には箱部のみ、又は箱部と蓋部の双方をコンパクトに折り畳めるように構成されている。
【０００３】
この折り畳み式収納箱は蓋部を座面とする椅子として使用できて便利であるが、蓋部を裏返した状態にして露天商などが物品販売時に必要とする物品陳列台、作業台としても使用できれば更に便利である。従来の折り畳み式箱部では、蓋部を裏返して箱部の上に載せただけでは、蓋部が少しの力で位置ずれして落下したり、蓋部の上に載せた物品の偏荷重により蓋部がひっくり返ったりする心配がある。
【先行技術文献】
【特許文献】
【０００４】
【特許文献１】実用新案登録第３１８９０４０号公報
【特許文献２】実用新案登録第３１２１０９６号公報
【特許文献３】実用新案登録第３１６８５５２号公報
【発明の開示】
【発明が解決しようとする課題】
【０００５】
本考案はこうした背景からなされたもので、その課題は物品を収納する収納箱としての用途に加えて蓋部上面を座面とする椅子としても使用でき、且つ、蓋部を裏返した状態にして露天商などが物品販売時に必要とする物品陳列台、作業台として安心して使用でき、不使用時には保管に便利なコンパクトな形に折り畳める折り畳み式収納箱を提供することにある。
【課題を解決するための手段】
【０００６】
前記課題を解決するための請求項１に記載の発明は、折り畳み式収納箱であって、上方が開口した四角形箱部と、底板と、蓋部からなり、箱部は同一幅で平行に対向する第１、第２の側壁と、それら側壁辺部間を繋ぎ、その幅中心線にて折り曲げ可能で、折り曲げない状態の幅が第１、第２の側壁の幅より狭い第３、第４の側壁を有し、各側壁高さは折り畳んだ状態で蓋部内に納まる寸法とされ、箱部底面は軟性布材で覆われて物品収納時には箱部開口に等しい形状の底板が載置され、蓋部は箱状にした箱部上端部が丁度納まる大きさに下面側が開口した箱型で、その上面側には前記箱部の開口の大きさに相当する部分に厚みのあるクッション材が取り付けてあり、蓋部を箱部開口部に被せた状態では前記クッション材を座面とする椅子として使用でき、蓋部を裏返した状態では前記クッション材を箱部の開口に嵌め込んだ状態にして裏面を商品陳列台、作業台として使用できるように構成されており、収納箱の不使用時には、箱部は第３、第４の側壁をその幅中心線にて内側に折り畳んで第１、第２の側壁間に挟み込んだ状態として蓋部の開口内に収納できるようにしてあることを特徴とする折り畳み式収納箱である。
【０００７】
このような構成の折り畳み式収納箱は、箱部を物品収納箱として使用できることに加え、箱部を箱状にして蓋部を被せた状態では蓋部上面のクッション材を座面とする椅子として使用できる。また、蓋部を裏返してクッション材を箱部開口に嵌めこんだ状態にすると蓋部は安定し、横方向の力で位置ずれしたり、蓋部に載置した物品の偏荷重によりひっくり返ったりする心配がない。このため、蓋部の裏面側を露天商などが物品販売時に必要とする物品陳列台や作業台として安心して使用できる。そして、不使用時には保管に便利なコンパクトな形に折り畳むことができる。
【図面の簡単な説明】
【０００８】
【図１】本発明に係る折り畳み式収納箱１の外観斜視図である。
【図２】折り畳み式収納箱１の分解斜視図である。
【図３】蓋部３を裏返してクッション材３ａを箱部に嵌め込んで安定させた状態の外観斜視図である。
【図４】折り畳み式収納箱１を物品陳列台、作業台等として使用する状態の断面図である。
【図５】折り畳み式収納箱１を椅子として使用する状態の断面図である。
【図６】箱部２の折り畳み方の説明図である。
【図７】箱部２を折り畳んで蓋部４に収納した状態の斜視図である。
【発明を実施するための形態】
【０００９】
以下、本発明に係る折り畳み式収納箱１の実施形態を図面を参照して説明する。図１は折り畳み式収納箱１を物品収納箱として使用している状態の外観斜視図、図２はその分解斜視図ある。折り畳み式収納箱１は上方が開口した箱部２と、該箱部２の底面上に載置する底板３と、箱部２の上方開口を覆う蓋部４とから構成される。箱部２は第１、第２、第３、第４の側壁６、７、８、９で囲まれた四角箱型で、その任意高さにおける水平断面形状は同一に形成されている。第１、第２の側壁６、７は同一幅で平行に対向している。第３、第４の側壁８、９は幅中心にて上下方向に伸びる幅中心線１０、１１にて折り曲げ可能に形成されている。その折り曲げない状態の幅は第１、第２の側壁６、７の幅より狭くしてある。第３、第４の側壁８、９は、第１、第２の側壁６、７の幅中心線を含む面に対して対称である。
【００１０】
この折り畳み式収納箱１を物品収納箱として使用する際は、第３、第４の側壁８、９は幅中心線１０、１１にて折り曲げずに四角箱状とする。この状態を収納時形状と呼ぶことにする。箱部２の底部は、収納時形状に合わせた形状の軟性布材で覆われている。底板３は、収納時形状にした箱部２の底部に丁度納まる形状に形成されており、収納時形状にした箱部２の底面上に着脱可能に載置される。
【００１１】
蓋部４は、収納時形状にした箱部２の上端部が内側に丁度納まる浅い長方形箱型に形成されている。蓋部４の上面側にはクッション材４ａが取り付けてある。図１に示すように蓋部４を収納時形状にした箱部２に被せた状態では、そのクッション材４ａを座面とする椅子として使用できる。
【００１２】
本実施形態の折り畳み式収納箱１の特徴として、蓋部４の上面側のクッション材４ａは、収納時形状にした箱部２の上端開口の形状に相当する部分にのみ取り付けられている。このため、箱部２を裏返し、そのクッション材４ａを箱部２の開口に嵌め込んだ状態にすることができる。
【００１３】
図３は、蓋部４を裏返した状態にして箱部２の開口に載置した場合の外観斜視図である。蓋部４の裏面側５が上面側となる。図４はその状態の縦断面図である。箱部２の開口形状に等しい形状に形成された厚みのあるクッション材４ａが箱部２の開口に嵌まった状態となるため蓋部４は安定する。なお、図５は蓋部４を一般の箱蓋のように箱部２の開口に被せた状態の縦断面図である。物品収納箱として、またクッション材４ａを座面とする椅子として使用する場合の縦断面図である。
【００１４】
折り畳み式収納箱１の不使用時には、図６の（１）に示すように第３、第４の側壁８、９をその幅中心線１０、１１にて折り畳むように箱内側に向けて折り曲げていき、図６の（２）に示すように第１、第２の側壁６、７間に挟んだ状態にする。第３、第４の側壁８、９は、折り曲げない状態の幅が第１、第２の側壁６、７の幅より狭くしてあるので図６の（２）に示すように幅中心線１０、１１が少し離れた状態に折り畳むことができる。この状態で取り外した底板３と重ねて蓋部４内に図７に示すように収納する。箱部２の側壁高さは折り畳んだ状態で蓋部４内に納まる寸法にしておく。また、箱型の蓋部４の内側高さは、折り畳んだ箱部２と底板３を重ねて蓋部４内に収納できる高さにしておく。
【００１５】
折り畳み式収納箱１の構成材料としては、箱部２の各側壁、底板３、蓋部４には補強材としての板材を布材で覆った材料を用いる。第３、第４の側壁８、９は、その幅中心線１０、１１を境に左右２枚の板材で補強されている。板材には、中密度繊維板（medium density fireboard）、プラスチック板、合板、木材板、アルミ板等を用いる。蓋部４の上面側に取り付けるクッション材４ａとしてはスポンジを布で覆ったものを用いる。第１の側壁６には、低い高さの把手を取り付けておくと取り扱いに便利である。
【００１６】
このような構成の折り畳み式収納箱１は、収納時形状にした状態では物品を収納する収納箱として使用できる。収納箱の形状にした場合は、蓋部４のクッション材４ａを座面とする椅子としても使用できる。更に、蓋部４を裏返しにすると厚みのあるクッション材４ａを収納時形状にした箱部２の開口に嵌め込むことができる。このように嵌め込むと蓋部４は安定し、横方向の力が加わっても蓋部４は箱部２の開口から外れて落下することはない。また、裏返した状態の上面に物品を載せた場合、物品の重さの違いから偏荷重が加わったとしても蓋部４がひっくり返る心配もない。このため蓋部の裏面側を露天商などが物品販売時に必要とする物品陳列台、作業台として安心して使用できる。そして、不使用時には図７に示したようにコンパクトな形に折り畳めるので保管に便利である。
【符号の説明】
【００１７】
図面中、１は折り畳み式収納箱、２は箱部、３は底板、４は蓋部、４ａはクッション材、６は第１の側壁、７は第２の側壁、８は第３の側壁、９は第４の側壁、１０、１１は折り目線（幅中心線）を示す。
【要約】
【課題】物品収納箱としての用途に加えて椅子として、また蓋を裏返しにして物品陳列台、作業台としても使用できる折り畳み式収納箱を提供する。
【解決手段】四角形箱部と該箱部の底面上に載置する底板と箱部の上方開口を覆う蓋部とから構成する。箱部は同一幅で平行に対向する第１、第２の側壁と、それら側壁辺部間を繋ぎ、その幅中心線にて折り曲げ可能で、折り曲げない状態の幅が第１、第２の側壁の幅より狭い第３、第４の側壁を設ける。側壁高さは折り畳んだ状態で蓋部内に納まる寸法とする。箱底面は軟性布材で覆い、物品収納時には開口と同形状の底板を載置する。蓋部は箱部上端部が丁度納まる浅い箱形に形成し、蓋部の上面側には、箱部の開口に嵌まる部分に厚みのあるクッション材を取り付ける。
【選択図】図４【図１】
0005918838.tif 000002
【図２】
0005918838.tif 000003
【図３】
0005918838.tif 000004
【図４】
0005918838.tif 000005
【図５】
0005918838.tif 000006
【図６】
0005918838.tif 000007
【図７】
0005918838.tif 000008